(57)【要約】【課題】  機器の大形・重量化の原因となる限流リアクトルを利用することなく、励磁突入電流を抑制することのできる静止形高圧自動電圧調整器を提供する。【解決手段】  線路に直列に挿入した直列変圧器ＳＴｒの低圧巻線の空心インダクタンスを大きく設定する。また、電圧調整用のサイリスタＴｈ１〜Ｔｈ６を常に電圧調整変圧器ＥＴｒの励磁電圧のピーク時に投入するよう制御装置によって制御する。【選択図】        図１
2014064388.tif 000002
【特許請求の範囲】
【請求項１】
変圧器、サイリスタ式タップ切換器、制御装置の各部で構成され、電圧調整変圧器の低圧回路側と、線路に対し直列に挿入した直列変圧器の低圧回路側を、前記サイリスタ式タップ切換器で結合し、配電線の電圧を予め設定してある基準電圧に調整するようサイリスタを切り換えて前記電圧調整変圧器のタップを切り換える静止形高圧自動電圧調整器において、前記直列変圧器の低圧巻線の空心インダクタンスを大きく設定することを特徴とする静止形高圧自動電圧調整器。
【請求項２】
変圧器、サイリスタ式タップ切換器、制御装置の各部で構成され、電圧調整変圧器の低圧回路側と、線路に対し直列に挿入した直列変圧器の低圧回路側を、前記サイリスタ式タップ切換器で結合し、配電線の電圧を予め設定してある基準電圧に調整するようサイリスタを切り換えて前記電圧調整変圧器のタップを切り換える静止形高圧自動電圧調整器において、常に電圧調整変圧器の励磁電圧のピーク時に投入するよう前記制御装置によって制御するように構成したことを特徴とする静止形高圧自動電圧調整器。
【請求項３】
変圧器、サイリスタ式タップ切換器、制御装置の各部で構成され、電圧調整変圧器の低圧回路側と、線路に対し直列に挿入した直列変圧器の低圧回路側を、前記サイリスタ式タップ切換器で結合し、配電線の電圧を予め設定してある基準電圧に調整するようサイリスタを切り換えて前記電圧調整変圧器のタップを切り換える静止形高圧自動電圧調整器において、前記直列変圧器の低圧巻線の空心インダクタンスを大きく設定するとともに、前記サイリスタを、常に電圧調整変圧器の励磁電圧のピーク時に投入するよう前記制御装置によって制御するように構成したことを特徴とする静止形高圧自動電圧調整器。
【発明の詳細な説明】
【技術分野】
【０００１】
本発明は、配電線に取り付けられる自動電圧調整器に関し、タップ切換時に発生する励磁突入電流を抑制する技術に関する。
【背景技術】
【０００２】
近年、低炭素社会の実現に向けて、再生可能エネルギーの大量導入が進められている。また、平成２３年３月に発生した東北地方太平洋沖地震による電力供給不安から、国内の再生可能エネルギーへの転換の機運は更に高まってきた。
【０００３】
一方で、再生可能エネルギーが配電系統に大量に連系されると、急激な電圧変動が発生する恐れがある。高圧配電系統では負荷時タップ切換変圧器や自動電圧調整器などで、適正電圧範囲内に収まるように制御されてはいるが、高圧配電系統への再生可能エネルギーの連系や家庭用太陽光発電等の大量導入に伴う急激な電圧変動への対応は難しい。
【０００４】
そこで、近年、急激な電圧変動への対応が可能であり、電圧調整を高速かつ多頻度に行えるサイリスタ式の自動電圧調整器が注目されている（下記特許文献１参照）。
【先行技術文献】
【特許文献】
【０００５】
【特許文献１】特許第３５０６８０８号
【発明の概要】
【発明が解決しようとする課題】
【０００６】
図２は、上記特許文献１記載の自動電圧調整器の１例を示したものであり、変圧器をＶ−Ｖ結線して構成したものである。具体的には、線路に直列に挿入した２つの直列変圧器２ｕ，２ｗの二次巻線２ｓｕ，２ｓｗの一端をＵ相，Ｗ相の電源側主回路端子ＴＵ，ＴＷに接続し、二次巻線２ｓｕ，２ｓｗの他端は主回路中継端子ＴＵ´，ＴＷ´に接続されている。
【０００７】
直列変圧器２ｕ，２ｗの１次巻線２ｐｕ，２ｐｗはＶ結線され、各々が限流リアクトル６ｕ〜６ｗを介して調整電圧入力端子ｔｕ〜ｔｗに接続されている。また、線間に挿入した２つの電圧調整用変圧器３ｕ，３ｗの一次巻線３ｐｕ，３ｐｗはＶ結線され、その三相の端子が第２の負荷側主回路端子Ｔｕ〜Ｔｗに接続されている。
【０００８】
電圧調整用変圧器３ｕ，３ｗの二次巻線３ｓｕ，３ｓｗはそれぞれタップｔ１〜ｔｎを有し、サイリスタ式タップ切換器４を介して三相の調整電圧出力端子ｔｕ´〜ｔｗ´に接続されている。前記サイリスタ式タップ切換器４は制御装置５によって制御される。  
【０００９】
ここで、サイリスタ式タップ切換器４によってタップｔ１〜ｔｎを切り換える際、直列変圧器２ｕ，２ｗの一次巻線２ｐｕ，２ｐｗには、電圧調整用変圧器３ｓｕ，３ｓｗのタップ電圧が印加される。
【００１０】
この時、印加されるタップ電圧値と投入位相及び投入時の残留磁束によって、直列変圧器２ｕ，２ｗの鉄心が飽和して一次巻線２ｐｕ，２ｐｗが空心リアクトルと同じ状態となり、直列変圧器２ｐｕ，２ｐｗの励磁インダクタンスが激減し、大きな励磁突入電流が流れるが、この電流は限流リアクトル６ｕ〜６ｗによって確実に抑制される。
【００１１】
しかし、通常、限流リアクトル６ｕ〜６ｗは、高圧配電線の短絡事故による過電流が低圧側へ移行するのを直列変圧器の鉄心飽和で抑制するため、空心とする。したがって、限流リアクトルの外形や損失が増大するとともに、機器全体の外形や質量が増加するといった欠点がある。
【００１２】
本発明は、上記欠点を解消しつつ励磁突入電流を効果的に抑制できる構成の静止形高圧自動電圧調整器を提案するものである。
【課題を解決するための手段】
【００１３】
請求項１記載の発明は、変圧器、サイリスタ式タップ切換器、制御装置の各部で構成され、電圧調整変圧器の低圧回路側と、線路に対し直列に挿入した直列変圧器の低圧回路側を、前記サイリスタ式タップ切換器で結合し、配電線の電圧を予め設定してある基準電圧に調整するようサイリスタを切り換えて前記電圧調整変圧器のタップを切り換える静止形高圧自動電圧調整器において、前記直列変圧器の低圧巻線の空心インダクタンスを大きく設定したことを特徴とする。
【００１４】
請求項２記載の発明は、変圧器、サイリスタ式タップ切換器、制御装置の各部で構成され、電圧調整変圧器の低圧回路側と、線路に対し直列に挿入した直列変圧器の低圧回路側を、前記サイリスタ式タップ切換器で結合し、配電線の電圧を予め設定してある基準電圧に調整するようサイリスタを切り換えて前記電圧調整変圧器のタップを切り換える静止形高圧自動電圧調整器において、前記サイリスタを、常に電圧調整変圧器の励磁電圧のピーク時に投入するよう前記制御装置によって制御するように構成したことを特徴とする。
【００１５】
請求項３記載の発明は、変圧器、サイリスタ式タップ切換器、制御装置の各部で構成され、電圧調整変圧器の低圧回路側と、線路に対し直列に挿入した直列変圧器の低圧回路側を、前記サイリスタ式タップ切換器で結合し、配電線の電圧を予め設定してある基準電圧に調整するようサイリスタを切り換えて前記電圧調整変圧器のタップを切り換える静止形高圧自動電圧調整器において、前記直列変圧器の低圧巻線の空心インダクタンスを大きく設定するとともに、前記サイリスタを、常に電圧調整変圧器の励磁電圧のピーク時に投入するよう前記制御装置によって制御するように構成したことを特徴とする。
【発明の効果】
【００１６】
請求項１記載の発明によれば、直列変圧器の低圧巻線の空心インダクタンスを大きく設定することによって、限流リアクトルを省略しても励磁突入電流を効果的に抑制することが可能になる。
【００１７】
請求項２記載の発明によれば、サイリスタを常に電圧調整変圧器の励磁電圧のピーク時に投入することによって、限流リアクトルを省略しても励磁突入電流を効果的に抑制することが可能になる。
【００１８】
請求項３記載の発明によれば、直列変圧器の低圧巻線の空心インダクタンスを大きく設定するとともに、サイリスタを常に電圧調整変圧器の励磁電圧のピーク時に投入することによって、限流リアクトルを省略しても励磁突入電流を効果的に抑制することが可能になる。
【図面の簡単な説明】
【００１９】
【図１】本発明の静止形高圧自動電圧調整器を示す回路図である。
【図２】従来の静止形高圧自動電圧調整器を示す回路図である。
【発明を実施するための形態】
【００２０】
以下、本発明の実施の形態について図１を用いて説明する。図１は本発明の静止形高圧自動電圧調整器Ａを示す回路図である。図１に示す自動電圧調整器Ａは、変圧器の結線をＶ−星形結線としている。
【００２１】
具体的には、電圧調整変圧器ＥＴｒの低圧回路側と、線路に直列に挿入した直列変圧器ＳＴｒの低圧回路側をサイリスタ式タップ切換器で結合した間接切換方式であり、サイリスタ式タップ切換器は制御装置からのタップ切換信号によって所定のサイリスタ素子が投入／開放される。
【００２２】
サイリスタ式タップ切換器は、タップ切換用サイリスタＴｈ１〜Ｔｈ６及び限流ヒューズと、ブリッジ用サイリスタＴｈｂ及び変成器ＣＴと、スナバ回路やサージ吸収器及びゲート駆動装置からなるＧＵユニットによって構成されており、制御装置は、電圧調整制御及び装置の外部・内部故障に対し保護制御を行う制御部と、該制御部からのタップ切換指令信号からサイリスタの組み合わせを選択するＧＡ部及び電源部からなる制御・ＧＡユニットと、自動電圧調整器Ａの運転開始，停止時及び外部・内部故障保護動作時に前記制御部からの指令により電磁接触器ＭＣ１，ＭＣ２の開閉を行うＭＣユニットによって構成されている。
【００２３】
そして、前記サイリスタ式タップ切換器と制御装置が制御箱内に収納され、本発明の自動電圧調整器Ａは構成されている。
【００２４】
以上のように構成した自動電圧調整器Ａは、制御装置の制御部で取り込んだ電圧、電流要素をアナログ処理した後、Ａ／Ｄ変換し、ＣＰＵによってデジタル演算処理を行うことにより、配電線の電圧を予め設定してある基準電圧に調整するよう、投入／開放するサイリスタの組み合わせを選択している。
【００２５】
ここで、サイリスタを投入する際には、前述したように大きな励磁突入電流が流れる。本発明の自動電圧調整器Ａはこれを抑制する限流リアクトルを省略しているが、直列変圧器ＳＴｒの低圧巻線の空心インダクタンスを大きく設定することによって励磁突入電流を効果的に抑制している。
【００２６】
具体的には、直列変圧器ＳＴｒの高圧巻線を内側に巻き低圧巻線を外側に巻くことにより、通常の巻線構造（低圧巻線が内側で高圧巻線が外側）と比較して、空心インダクタンスを大きく設定している。これは自動電圧調整器Ａの直列巻線ＳＴｒは低圧巻線から励磁されるからに他ならない。
【００２７】
また、サイリスタの投入を常に電圧調整変圧器の励磁電圧のピーク時に行う同期制御を併用することによって、限流リアクトルを省略しても励磁突入電流を効果的に抑制し、装置Ａの小形・軽量化を実現することができた。
【００２８】
なお、本電圧調整器Ａはその設置場所を変電所から５［ｋｍ］以上にすることで、高圧配電線短絡事故による過電流を２［ｋＡ］以下に制限し、サイリスタに流れる電流をサイリスタの許容過負荷耐量以下とすることで、限流リアクトルの省略が可能となる。
【００２９】
以上説明したように、本発明の静止形高圧自動電圧調整器は、直列変圧器の低圧巻線の空心インダクタンスを大きくすることにより、限流リアクトルを省略しても、タップ切換時に発生する励磁突入電流を確実に抑制することが可能となる。
【００３０】
また、サイリスタの投入を常に電圧調整変圧器の励磁電圧のピーク時に行う同期制御を併用することにより、限流リアクトルを省略しても、タップ切換時に発生する励磁突入電流を確実に抑制することが可能となる。
【００３１】
更に、本発明の静止形高圧自動電圧調整器は、直列変圧器の低圧巻線の空心インダクタンスを大きくし、サイリスタの投入を常に電圧調整変圧器の励磁電圧のピーク時に行う同期制御を併用することにより、限流リアクトルを省略しても、タップ切換時に発生する励磁突入電流を確実に抑制し、装置Ａの小形・軽量化を実現することが可能となる。
【産業上の利用可能性】
【００３２】
本発明は、配電系統の電圧変動に対応する機器に利用される可能性が高い。
【符号の説明】
【００３３】
ＳＴｒ  直列変圧器
ＥＴｒ  電圧調整変圧器
ＶＴ，ＣＴ  変成器
Ｔｈ１〜Ｔｈ６  タップ切換用サイリスタ
Ｔｈｂ  ブリッジ用サイリスタ
Ｆ１，Ｆ２  限流ヒューズ
Ｒ  限流抵抗
ＭＣ１，ＭＣ２  電磁接触器
Ａ  静止形高圧自動電圧調整器
【図１】
2014064388.tif 000003
【図２】
2014064388.tif 000004